(57)【特許請求の範囲】
【請求項１】
下部に発射装置を備える内枠と、
発射球貯留皿を前面に備え、内枠の前面側に片開き可能に枢支される前扉と、
内枠に配設されて、発射球貯留皿から流入する遊技球を発射装置へ順次送出するとともに、発射球貯留皿から流入する遊技球を機体前面側へ排出するための球抜口を備える球送装置と、
球送装置の球抜口を閉塞する閉鎖位置と開放する球抜位置とに移動可能となるように内枠側に配設され、第一の付勢手段によって閉鎖位置に付勢される開閉片と、
前扉の前面側に配設されて、遊技者の操作により開閉片を球抜位置に変換する球抜操作部材と
を備えるパチンコ機であって、
前扉に配設されて、球抜操作部材と連繋し、前扉の閉止状態で開閉片を押圧可能となり、第二の付勢手段によって開閉片を閉鎖位置とする定常位置に付勢され、球抜操作部材の操作によって、開閉片を押圧して該開閉片を球抜位置とする作動位置に変換される球抜作動片と、
前扉の厚み方向に貫設されて、発射球貯留皿の遊技球を前扉の背面側に流出させる球流出路と、
前扉に配設され、該前扉の開放状態では第三の付勢手段によって球流出路を閉塞する球止位置に付勢保持され、前扉の閉止状態では内枠に配設される押圧保持部材に押圧されて付勢力に抗して球流出路を開放する開放位置に保持されるものであり、さらに該球止位置で定常位置にある球抜作動片と係合して、該球抜作動片の作動位置への移動を阻止する可動球止部材と
を備えることを特徴とするパチンコ機。
【請求項２】
球抜操作部材は、前扉の前面側に押下げ操作可能に配設されるものであり、
球抜作動片は、前扉の幅方向に移動可能に配設されるものであり、
さらに、前扉に傾動可能に配設されて球抜操作部材と球抜作動片とに当接し、球抜操作部材の押下げ操作に伴って球抜作動片を前扉の幅方向に移動させて定常位置から作動位置に変位させる連繋部材を備えることを特徴とする請求項１記載のパチンコ機。
【請求項３】
開閉片は、内枠の前方に突出する受圧用突部を備え、内枠の幅方向に移動可能に配設されるものであり、
球抜作動片は、前扉の幅方向に移動可能に配設され、前扉の閉止状態で開閉片の受圧用突部を押圧可能となり、定常位置から作動位置への移動に伴って受圧用突部を押圧して開閉片を閉鎖位置から球抜位置へ変換するものであることを特徴とする請求項１又は請求項２に記載のパチンコ機。
【請求項４】
球抜作動片が、前扉の厚み方向に形成されて、前扉の閉止状態で開閉片の受圧用突部と嵌合する押圧用穴部を備えることを特徴とする請求項３記載のパチンコ機。
【請求項５】
可動球止部材又は球抜作動片に配設されて、球止位置の可動球止部材と定常位置の球抜作動片の係合状態で球抜作動片が作動位置方向へ移動して球抜作動片が可動球止部材を押圧した場合に、当該押圧を検出して球抜異常信号を出力する球抜操作検出手段と、
球抜操作検出手段と接続されて、球抜異常信号を受信すると所定の報知手段を作動させる球抜異常報知制御手段と
を備えることを特徴とする請求項１乃至請求項４のいずれかに記載のパチンコ機。
【発明の詳細な説明】
【技術分野】
【０００１】
本発明は、発射球貯留皿から流出する遊技球を発射装置へ順次送出する球送装置を内枠に配設したパチンコ機に関する。
【背景技術】
【０００２】
一般的なパチンコ機は、遊技島設備に固定される木製の外枠と、この外枠にヒンジ部材を介して開閉可能に取り付けられる前枠とを備えている。この前枠は、遊技盤を固定するための開口部や発射装置等を備える内枠を主体とする。また、内枠の前面側には、発射用の遊技球を貯留する発射球貯留皿を備え内枠前面側に開閉可能に取り付けられる前扉が設けられている。
【０００３】
また、前記内枠には、遊技盤の下方であって発射球貯留皿の背面側に遊技球を発射する発射装置が設けられる。発射装置の前面側は前扉によって覆われており、前扉の発射装置を覆う部分には前面側に発射球貯留皿が配設される。また、発射球貯留皿と発射装置の間には、発射球貯留皿から流出する遊技球を発射装置の作動に合わせて一個ずつ発射装置へ送出する球送装置が設けられる。球送装置には、発射球貯留皿から流入する遊技球を機体前面側に排出するための球抜口が設けられている。球抜口は移動可能な開閉片によって通常は閉塞されており、球送装置に流入した遊技球は発射装置へ送出されるが、開閉片は前扉の前面側に配設された球抜操作部材と連繋しており、球抜操作部材の操作によって開閉片を移動させると球抜口が開放し、遊技球が球送装置から機体前面側（余剰球貯留皿など）に排出されるようになっている。
【０００４】
ところで、多くのパチンコ機では、前扉の背面側に球送装置が設けられているが、近年、球送装置を内枠に配設する構成が提案されている（特許文献１及び特許文献２）。かかる構成では、前扉の開放状態で球送装置は内枠側に位置するため、球送装置のメンテナンスを迅速かつ簡便に行えるという利点がある。ここで、かかる構成では、前扉の開放時に前扉背面側の球流出路を閉塞して発射球貯留皿から遊技球が流出するのを防止する可動球止部材が設けられている。また、かかる構成では、球抜操作部材と連繋する球抜作動片が前扉の背面側に配設されている。この球抜作動片は、前扉の開放状態では球送装置の開閉片と離間しているが、前扉の閉止状態で開閉片を押圧可能となり、球抜操作部材が操作された時に球抜作動片が開閉片を押圧移動させることによって球抜口が開放されるようになっている。
【０００５】
【特許文献１】特開２００１−１１２９４２号公報
【特許文献２】特開２００１−１４５７６０号公報
【発明の開示】
【発明が解決しようとする課題】
【０００６】
ところで、球送装置を内枠に配設した構成にあっては、前扉の開放状態では球抜作動片と開閉片が離間しているため夫々が独立して移動可能となるため、開閉片と球抜作動片の位置によっては前扉を閉止する際に双方が衝突して破損する恐れがある。この問題に対し、上記特許文献１，２の構成では、開閉片が球抜口を閉塞する閉鎖位置に付勢されるとともに、球抜作動片が開閉片を押圧しない定常位置に付勢されており、前扉の開放状態で開閉片と球抜作動片を各位置に付勢保持しておくことによって、前扉を閉じる際に球抜作動片が、開閉片と衝突せずに開閉片を押圧可能な位置に移動するようにしている。
【０００７】
しかしながら、上記構成にあっても、球抜作動片は球抜操作部材と機械的に連繋しているため、前扉を閉じる際に、作業者の手が不用意に球抜操作部材に触れていると球抜作動片が定常位置から移動してしまい開閉片と球抜作動片が衝突する恐れがある。また、前扉の開放状態で球抜操作部材が誤って操作された時に、球抜作動片が周辺部材に引っ掛かって定常位置に復帰しないことがあり、このような場合にも、そのまま前扉を閉じようとすると開閉片と球抜作動片が衝突してしまう。
【０００８】
本発明は、かかる問題を解決し得るパチンコ機の提供を目的とする。
【課題を解決するための手段】
【０００９】
本発明は、下部に発射装置を備える内枠と、発射球貯留皿を前面に備え、内枠の前面側に片開き可能に枢支される前扉と、内枠に配設されて、発射球貯留皿から流入する遊技球を発射装置へ順次送出するとともに、発射球貯留皿から流入する遊技球を機体前面側へ排出するための球抜口を備える球送装置と、球送装置の球抜口を閉塞する閉鎖位置と開放する球抜位置とに移動可能となるように内枠側に配設され、第一の付勢手段によって閉鎖位置に付勢される開閉片と、前扉の前面側に配設されて、遊技者の操作により開閉片を球抜位置に変換する球抜操作部材とを備えるパチンコ機であって、前扉に配設されて、球抜操作部材と連繋し、前扉の閉止状態で開閉片を押圧可能となり、第二の付勢手段によって開閉片を閉鎖位置とする定常位置に付勢され、球抜操作部材の操作によって、開閉片を押圧して該開閉片を球抜位置とする作動位置に変換される球抜作動片と、前扉の厚み方向に貫設されて、発射球貯留皿の遊技球を前扉の背面側に流出させる球流出路と、前扉に配設され、該前扉の開放状態では第三の付勢手段によって球流出路を閉塞する球止位置に付勢保持され、前扉の閉止状態では内枠に配設される押圧保持部材に押圧されて付勢力に抗して球流出路を開放する開放位置に保持されるものであり、さらに該球止位置で定常位置にある球抜作動片と係合して、該球抜作動片の作動位置への移動を阻止する可動球止部材とを備えることを特徴とするパチンコ機である。
【００１０】
ここで、本発明に係る「内枠」とは、遊技盤を固定する枠体であって、少なくとも発射装置を備えるものを指す。また、本発明に係る「前扉」とは、内枠の前面側に枢支されるものであって、その前面側に少なくとも発射球貯留皿が配設されたものを指す。また、本発明に係る付勢手段とはバネ等の弾性材や重錘等を利用したものを指す。実施例では、コイルバネ６９が第一の付勢手段に、コイルバネ８２が第二の付勢手段に、コイルバネ８５が第三の付勢手段に該当する。
【００１１】
かかる構成では、前扉の閉止状態では、可動球止部材は開放位置に保持されており、球流出路が開放されるとともに、球抜作動片が球抜操作部材の操作に応じて定常位置から作動位置に移動可能となっており、かかる状態から前扉を開放すると、可動球止部材が球止位置に保持されて、該球止位置において球流出路を閉塞するとともに、球抜作動片と係合して球抜作動片の作動位置への移動を阻止することとなる。したがって、本発明のパチンコ機では、前扉の開放状態では、球抜操作部材が操作されても球抜作動片は定常位置に保持されたままであり、前扉を閉じる際に球抜作動片が開閉片に衝突することがない。
【００１２】
本発明にあっては、可動球止部材によって球抜作動片の移動を阻止する態様は特に限定されない。例えば、球抜作動片に係合部を設け、可動球止片を該係合部に係合させるようにしてもよいし、球抜作動片の移動経路を塞ぐ位置に可動球止部材を変位させるようにしてもよい。なお、可動球止部材は、その移動方向が球抜作動片の移動方向と略直交するように設定し、球抜作動片との係合状態で球抜作動片に押されて従動しないようにすることが望ましい。
【００１３】
具体的には、球抜操作部材が前扉の前面側に押下げ操作可能に配設されるものであり、球抜作動片が前扉の幅方向に移動可能に配設されるものであり、さらに、前扉に傾動可能に配設されて球抜操作部材と球抜作動片とに当接し、球抜操作部材の押下げ操作に伴って球抜作動片を前扉の幅方向に移動させて定常位置から作動位置に変位させる連繋部材を備える構成が提案される。かかる構成にあっては、球抜操作部材の押下げ操作が連繋部材によって前扉の幅方向に沿った球抜作動片の移動に変換されることとなる。
【００１４】
また、開閉片は、内枠の前方に突出する受圧用突部を備え、内枠の幅方向に移動可能に配設されるものであり、球抜作動片は、前扉の幅方向に移動可能に配設され、前扉の閉止状態で開閉片の受圧用突部を押圧可能となり、定常位置から作動位置への移動に伴って受圧用突部を押圧して開閉片を閉鎖位置から球抜位置へ変換するものである構成も提案される。かかる構成にあっては、前扉の閉止状態では、受圧用突部を球抜作動片に押圧されることによって開閉片が球抜位置に変位することとなり、また、前扉の開放状態では、作業者が受圧用突部を直接押圧操作することによって開閉片を球抜位置に変位可能となる。
【００１５】
ところで、上記構成にあっては、開閉片は閉鎖位置に付勢されるため、開閉片を球抜位置へ押圧している球抜作動片が定常位置へ復帰すれば、開閉片は付勢力によって球抜位置から閉鎖位置に復帰することとなる。しかし、かかる構成では、開閉片が周辺部材に引っ掛かったり付勢手段に異常が生じたりして定常位置に復帰せず、球抜位置に留まることがある。このような場合、開閉片の異常は遊技者からは確認できないため、球抜口が開放したままの球送装置に遊技球が供給される恐れがある。このため、上記構成にあっては、球抜作動片が、前扉の厚み方向に形成されて、前扉の閉止状態で開閉片の受圧用突部と嵌合する押圧用穴部を備える構成が提案される。かかる構成にあっては、前扉の閉止状態で受圧用突部に押圧用穴部が外嵌しているため、球抜作動片は、開閉片が定常位置に復帰する際にも開閉片と連動することとなる。このため、本構成では、開閉片が球抜位置に留まると、球抜作動片も作動位置に留まり、さらには、球抜作動片と連繋する球抜操作部材も操作された状態に留まることとなる。したがって、遊技者は、球抜操作部材の操作を停止した時に、球抜操作部材が元の状態に復帰するか否かによって開閉片が閉鎖位置に復帰したか否かを確認できる。なお、かかる構成では、球抜作動片の押圧用穴部と開閉片の受圧用突部とを前扉の開放状態で離間させるため、前扉を閉止する際に押圧用穴部を受圧用突部に正確に外嵌させる必要があるが、本発明のように前扉の開放状態で球抜作動片を定常位置に保持すればかかる問題は解決できる。
【００１６】
また、可動球止部材又は球抜作動片に配設されて、球止位置の可動球止部材と定常位置の球抜作動片の係合状態で球抜作動片が作動位置方向へ移動して球抜作動片が可動球止部材を押圧した場合に、当該押圧を検出して球抜異常信号を出力する球抜操作検出手段と、球抜操作検出手段と接続されて、球抜異常信号を受信すると所定の報知手段を作動させる球抜異常報知制御手段とを備える構成も提案される。ここで、球抜操作検出手段は衝突検知用のセンサによって構成されるものであり、実施例では感圧センサがこれに該当する。また、球抜異常報知制御手段はＣＰＵを備える基板等によって構成されるものであり、実施例では主制御基板がこれに該当する。また、報知手段は、例えばランプや各種表示装置、スピーカ等によって構成されるものである。
【００１７】
かかる構成にあっては、前扉の開放状態で球抜操作部材が操作されて、球抜作動片が球止位置の可動球止部材によって阻止されると、球抜操作検出手段がこれを検知して球抜異常信号を送信し、これに応じて球抜異常報知制御手段が報知手段を作動させる。このため、作業者は報知手段の作動によって球抜操作部材を不適切に操作していると気付くことができる。なお、かかる構成にあっては、前扉の閉止状態では、可動球止部材が球抜作動片を係止しないため球抜操作検出手段は球抜異常信号を送信しないが、誤作動によって前扉の閉止状態で球抜異常信号が送信される場合に備えて、前扉の閉止状態では球抜異常報知制御手段が報知手段を作動させないようにしてもよい。通常のパチンコ機では、前扉の開放状態を検知するセンサが設けられており、かかる構成は、このようなセンサの検知信号を利用すれば容易に実現できる。
【発明の効果】
【００１８】
以上に述べたように、本発明は、可動球止部材が、球流出路を閉塞する球止位置で定常位置にある球抜作動片と係合して、該球抜作動片の作動位置への移動を阻止するようにしたものであるから、前扉の開放状態では球抜操作部材が操作されても球抜作動片が定常位置に保持されることとなり、前扉を閉じる際に球抜作動片と開閉片とが衝突することがない。したがって、本発明のパチンコ機は、前扉の閉止時に球抜作動片や開閉片が破損し難く、作業者は、前扉の開放状態で球抜操作部材を操作しないように気を配る必要がない。また、本発明は、既存の可動球止部材を利用して球抜作動片の移動を阻止するものであるため、部品点数を増加させずに単純な構成によって実現できるという利点がある。
【００１９】
また、開閉片に内枠の前方へ突出する受圧用突部を設け、前扉の閉止状態で球抜作動片が受圧用突部を押圧可能となり、定常位置から作動位置への移動に伴って開閉片を球抜位置へ変換するようにした場合には、前扉の開放状態で、受圧用突部を直接操作することによって開閉片を容易に球抜位置へ変換することができる。
【００２０】
さらに、上記構成にあって、球抜作動片が、前扉の厚み方向に形成されて、前扉の閉止状態で開閉片の受圧用突部と嵌合する押圧用穴部を備える場合には、球抜操作部材の操作を停止した時に、開閉片が閉鎖位置に復帰したか否かを球抜操作部材の戻り具合によって確認できる。
【００２１】
また、上記球抜操作検出手段と球抜異常報知制御手段とを備えた場合には、前扉開放状態において球抜操作部材が不適切に操作されていることを遊技者に報知できる。
【発明を実施するための最良の形態】
【００２２】
本発明の実施形態を、以下の実施例に従って説明する。
【００２３】
図１〜３は、本発明に係るパチンコ機１の斜視図及び正面図である。このパチンコ機１は、遊技島設備に固定される木製の外枠２と、該外枠２にヒンジ部材３を介して開閉可能に取り付けられる前枠４とからなる。
【００２４】
前枠４は、ヒンジ部材３を介して外枠２に直接枢着する矩形の内枠５と、発射用の遊技球を貯留する発射球貯留皿１０を前面に備え、該内枠５の前面に開閉可能に取り付けられる前扉６と、内枠５の背面側に開閉可能に取り付けられる裏機構板７等により構成される。
【００２５】
前記内枠５は、アルミダイキャスト製の枠体からなる。この内枠５には上部から中央部にかけて矩形の開口部が形成されており、該開口部に合板製の遊技盤９が取り付けられる。図１〜３に示すように、遊技盤９の前面側は前扉６によって覆われており、前方からは中央部のみが視認可能となっている。遊技盤９の前面には金属製のガイドレール１３が取り付けられており、該ガイドレール１３によって楕円形の遊技領域１２と、発射された遊技球を遊技領域１２に案内する案内通路２０が区画されている。遊技領域１２内には遊技釘や入賞装置、液晶装置等の遊技部品が配設される。
【００２６】
図２，３に示すように、内枠５の、遊技盤９下方位置には発射装置１４が設けられている。この発射装置１４は、金属製の発射機構板１６に、遊技球を打圧する発射鎚１７や、打圧された遊技球を案内する発射レール１８、発射鎚１７を駆動する発射用ソレノイド１９等を配設してなるものである（図８参照）。また、発射装置１４の前面側には、発射球貯留皿１０から流入する遊技球を発射装置１４に順次送出する球送装置１５が配設される（図８参照）。発射装置１４や球送装置１５は、図１〜３に示すように、通常は前扉６によって前面側を覆われており、前扉６を開放することによってメンテナンス可能となる。発射装置１４と球送装置１５の詳細な構成は後述する。
【００２７】
図１に示すように、内枠５の前面下部には、内枠５の幅方向に亘る樹脂製の取付板部２３が設けられ、この取付板部２３の前面中央に余剰の遊技球を貯留する余剰球貯留皿１１が配設される。取付板部２３の、余剰球貯留皿１１を臨む位置には球放出口２４が開口しており、該球放出口２４から余剰球貯留皿１１に遊技球が流入する。また、余剰球貯留皿１１の底部には遊技球排出用の球抜孔２５が形成されており、余剰球貯留皿１１の底部に設けられた球抜スライダ２６を移動操作すると球抜孔２５が開放し、余剰球貯留皿１１の遊技球を下方へ排出可能となる。
【００２８】
また、余剰球貯留皿１１の右方には発射ハンドル２８が突設される。発射ハンドル２８の外周部には回動操作可能な発射レバー２９が設けられており、発射ハンドル２８の内部には、発射レバー２９の回動角度を検知する回動角度検知センサが配設される。回動角度検知センサは発射装置１４や球送装置１５の作動を制御する発射制御基板（図示省略）に接続される。
【００２９】
また、裏機構板７は、内枠５の背面側に取り付けられた樹脂製枠体であり、図１に示すように、その上部には、遊技島設備から供給される遊技球を貯留する球タンク３０が設けられており、球タンク３０の下方位置には、球タンク３０の遊技球を払い出すための払出装置や球通路が配設される（図示省略）。また、裏機構板７の背面側には、遊技全般を制御する主制御基板や、前記発射制御基板等の各種の基板が設けられている（図示省略）。
【００３０】
前扉６は、図２，４に示すように、矩形状の樹脂製枠体からなるものであり、その左側縁に固定されたヒンジ部材３２によって内枠５の前面側に片開き可能に枢着される。前扉６の中央部には、樹脂製の透明板３３を保持する楕円形の視認用開口部３４が形成されており、該視認用開口部３４を介して遊技盤９の遊技領域１２を前方から視認可能となっている。
【００３１】
また、図４，５に示すように、前扉６の下部前面側には樹脂製の発射球貯留皿１０が一体的に配設される。前扉６の、発射球貯留皿１０内部を臨む左側位置には、発射球貯留皿１０へ遊技球を供給するための球供給口３６が開口している。発射球貯留皿１０の内部は、前後幅の広い左側の貯留部３７と前後幅の狭い右側の整列部３８とからなり、発射球貯留皿１０の内底面は貯留部３７から整列部３８へ遊技球を流下させるように傾斜している。また、整列部３８の右端には、前扉６の厚み方向に貫通し、整列部３８から前扉６の背面側に遊技球を流出させる短尺な球流出路３９が形成される（図２，６参照）。また、発射球貯留皿１０の右上縁部には、前記球送装置１５から余剰球貯留皿１１へ遊技球を排出するための球抜操作部材４２が配設される。球抜操作部材４２については後述する。
【００３２】
図２，６に示すように、前扉６の背面側には、視認用開口部３４の下方部位に補強用の金属製パネル板４１が固定される。前記球流出路３９はこのパネル板４１にも貫設される。球流出路３９は、図７に示すように、前扉６の閉止状態で前記球送装置１５の正面に位置しており、球流出路３９を通って発射球貯留皿１０から流出した遊技球は球送装置１５へ流入することとなる。また、パネル板４１の前面側の、球流出路３９の近傍位置には、前記球抜操作部材４２と連繋する球抜作動片４３や、球流出路３９を開閉する可動球止部材４４が配設される。球抜作動片４３と可動球止部材４４については後述する。
【００３３】
次に、発射装置１４について説明する。
上述のように発射装置１４は、金属製板片からなる発射機構板１６に遊技球発射用の各種部材を組み付けてユニット化したものである。この発射機構板１６は、図２，７，８に示すように、内枠５前面の、遊技盤９の下方で且つ余剰球貯留皿１１の上方位置にビス止めされる。図８に示すように、発射機構板１６の右側背面には、ロータリーソレノイドからなる発射用ソレノイド１９が固定される。この発射用ソレノイド１９の回転軸杆は、発射機構板１６を貫通して前面側に突出しており、該回転軸杆の先端に発射鎚１７が固定される。また、発射用ソレノイド１９は前記発射制御基板と電気的に接続されており、発射制御基板は発射用ソレノイド１９の通電状態を切り替えることにより発射鎚１７を往復駆動する。一方、発射機構板１６の左側前面には金属製の発射レール１８が所定角度で左上がりに固定される。発射レール１８は左上方に前記案内通路２０の入口を臨むようになっており、発射レール１８の右端部には発射鎚１７の打撃部の先端が臨むようになっている。また、発射機構板１６前面の右上部分には、発射鎚１７の回動を規制するストッパ４７が設けられる。また、発射機構板１６の、発射レールの右端上方には、発射鎚１７が臨む位置に遊技球を保持するゴム製の球保持部材４８が設けられる。また、発射機構板１６前面上部には、球送装置１５を軸支するための軸受部材４９が螺着される。
【００３４】
以下に、本発明の要部に係る構成を詳細に説明する。
【００３５】
球送装置１５は、遊技球を一個ずつ送り出す電動式の球送り機構を透明樹脂からなる箱型のケース体５１に収容してなるものである。図８，９に示すように、ケース体５１の上部中央には左右方向の支軸部５２が配設されており、該支軸部５２を発射機構板１６の前記軸受部材４９に保持されることによって、ケース体５１の下部は発射装置１４の前上方に回動可能となっている。一方、ケース体５１の底部には、後方に突出する係合端部７１と前方に突出する操作端部７２とからなる可撓性の係合部材６６が一体的に形成されており、係合部材６６の係合端部７１が発射機構板１６の下縁と係合することによって球送装置１５は発射装置１４の前面側に固定される。係合端部７１と発射機構板１６との係合は操作端部７２の押し上げ操作によって解除可能となっており、図９に示すように、係合部材６６と発射機構板１６の係合解除状態では球送装置１５が前方回動可能となり、球送装置１５を発射装置１４の前上方に退避させることによって発射装置１４の前面側を露出可能となっている。
【００３６】
ケース体５１の前面中央部には、図１０に示すように、発射球貯留皿１０からの遊技球を流入させる矩形の球入口５４が形成される。この球入口５４の直前方位置には前後方向の短尺な連絡樋６４が固着される。この連絡樋６４は、図７に示すように、前扉６の閉止状態で前記球流出路３９と接続し、発射球貯留皿１０から流出する遊技球ｘを球入口５４へ案内する。また、図１０に示すように、ケース体５１前面側には、球入口５４の下方位置に横長溝状の軸部通過開口６５が形成されており、ケース体５１に内蔵された開閉片７０の受圧用突部７４が軸部通過開口６５を貫通して前方に突出しており、受圧用突部７４を軸部通過開口６５に沿って摺動させることにより開閉片７０がケース体５１の内部で移動するようになっている。また、球入口５４の右方には可動球止部材４４を上方に押し上げる三角板状の押圧保持部材６７が配設されており、連絡樋６４の左方には、連絡樋６４と前記球流出路３９との位置決めに用いる円錐状の位置決め突起６８が配設される。さらに、位置決め突起６８の直下位置には、開閉片７０に形成される案内用突部７６を内嵌させて開閉片７０を左右に移動可能とする横長溝状の案内溝５３が形成される。
【００３７】
ケース体５１の背面側には、図１１に示すように、発射装置１４へ遊技球ｘを送出するための球出口５５が中央下部に形成されており、ケース体５１の内部には、前記球入口５４と球出口５５とを連通させる球供給通路５６が形成される。また、球供給通路５６の下流部位には機体前面側に遊技球ｘを排出するための球抜口６１が底面に開口しており、ケース体５１の内部には、この球抜口６１から遊技球を左方に流下させる球抜通路６２が形成される。球抜通路６２は、ケース体５１の背面左隅に形成された球抜用連通口６３を介して余剰球貯留皿１１と連通する内枠５の排出球誘導路４５と連通している（図１８参照）。図１１（ａ）に示すように、球抜口６１は、ケース体５１内に配設された開閉片７０によって通常は閉塞されている。開閉片７０については後述する。
【００３８】
ケース体５１に収容される電動式の球送り機構は、図１１に示すように、遊技球一個を収容可能な収容凹部６０を有する回動可能なテコ部材５８と、該テコ部材５８を駆動させる球送用ソレノイド５９と、球送用ソレノイド５９の可動部７５とテコ部材５８とを連繋するリンク部材５７とで構成される。テコ部材５８は、球供給通路５６の球出口５５直前部分に軸支されて、収容凹部６０を球供給通路５６の上流側に向けて遊技球ｘを収容凹部６０に受入れ可能となる位置と、収容凹部６０を球出口５５側に向けて収容凹部６０の遊技球ｘを排出可能となる位置とに変位可能となっており、球送用ソレノイド５９の通電状態に応じていずれかの位置に保持されるようになっている。球送用ソレノイド５９は前記発射制御基板と電気的に接続されており、発射制御基板は球送用ソレノイド５９の通電状態を切り替えることによりテコ部材５８を回動させ、遊技球を球出口５５に送出する。具体的には、図１２に示すように、球送用ソレノイド５９の非通電状態で、テコ部材５８は収容凹部６０を球出口５５側に向ける位置に保持されており（図１２（ａ）参照）、球送用ソレノイド５９が通電状態となると収容凹部６０を球供給通路５６側に向ける位置に切り替り、球供給通路５６の遊技球ｘ一個を収容凹部６０に収容する（図１２（ｂ）参照）。そして、再び球送用ソレノイド５９が非通電状態に切り換わると、テコ部材５８は収容凹部６０を球出口５５に向ける位置に変位して、収容凹部６０の遊技球ｘが球出口５５から発射レール１８上に送出される（図１２（ｃ）参照）。
【００３９】
開閉片７０は、図１０，１１，１３に示すように、球抜口６１を遮蔽する板状の遮蔽部７３を備える樹脂片であり、前方に突出する受圧用突部７４と案内用突部７６を、ケース体５１前面の軸部通過開口６５と案内溝５３に夫々嵌合させることによって、ケース体５１の内部で球抜口６１を閉塞する閉鎖位置αと、開放する球抜位置βとに移動可能に保持される。また、図１１，１３に示すように、開閉片７０は、左方に突設されたコイルバネ装着部８８に取り付けられたコイルバネ６９によって通常は右側の閉鎖位置αに付勢保持されており、コイルバネ６９の付勢力に抗して受圧用突部７４を左方に押圧されることによって球抜位置βに変位する。
【００４０】
次に、球抜作動片４３について説明する。
図１３，１４に示すように、球抜作動片４３は樹脂製板片からなるものであり、前扉６内で左右に摺動可能に保持される摺動板部７７と、前記受圧用突部７４を押圧する押圧用凹部８３を左端に備え、該摺動板部７７の左方に突出する押圧腕部７８とからなる。この球抜作動片４３は、図６に示すように、摺動板部７７をパネル板４１の前面側で摺動可能に保持されるとともに、パネル板４１の開口部９０から押圧腕部７８を露出させている。これにより、球抜作動片４３は、摺動板部７７の摺動に伴って、押圧用凹部８３が開閉片７０を押圧して球抜位置βとする作動位置ζと、押圧用凹部８３が開閉片７０を押圧しない定常位置εとに移動可能となっている（図１５参照）。また、図１３に示すように、摺動板部７７の前面側には、後述の連繋部材８０と連結するための連結軸７９が形成される。
【００４１】
図１５，１６は、前扉６に配設された球抜作動片４３や球抜操作部材４２の配置および連繋態様を背面側から示したものである。球抜操作部材４２は、図１５に示すように、ボタン型の樹脂片であり、図中右下部を軸支されて、前扉６の前面側に露出する上端部を押し下げられると下方傾動するようになっている。また、図１５に示すように、前扉６のパネル板４１の前面側には、金属板からなる取付機構板４６が配設される。この該取付機構板４６の板面には、前記球抜操作部材４２と球抜作動片４３とを連繋する連繋部材８０や、前記可動球止部材４４等が取り付けられている。連繋部材８０は、図１５に示すように、長三角形状の樹脂製板片からなるものであり、球抜操作部４２の直下位置において、短尺辺を上方に向けた姿勢で図中右上角部を軸支されて、その下端部を取付機構板４６に沿って左右に傾動するように保持される。図１５に示すように、連繋部材８０の図中左側部にはコイルバネ８２の一端が連結される。連繋部材８０は、かかるコイルバネ８２によって図中左方に付勢されて、その短尺片を球抜操作部４２の下底面に当接させている。かかる構成によれば、球抜操作部材４２が押し下げられると、図１５（ｂ）に示すように、連繋部材８０の下端部が図中右方向に傾動し、球抜操作部材４２の押下げが止むと、連繋部材８０の下端部が図中左方に復帰して、押し下げられた球抜操作部材４２は連繋部材４２によって上方に押し上げられることとなる。
【００４２】
連繋部材８０の下端部には前後方向の連結孔部８１が形成されており、連繋部材８０は、該連結孔部８１を球抜作動片４３の連結軸７９に外嵌させることによって、球抜作動片４３と連繋している。球抜作動片４３は、図１５（ａ）に示すように、球抜操作部材４２の非操作状態において定常位置εに位置しており、図１５（ｂ）に示すように、球抜操作部材４２が押し下げられると、連繋部材８０の傾動に従動して作動位置ζへと変位することとなる。
【００４３】
可動球止部材４４は、横長樹脂片からなるものであり、図１６に示すように、球流出路３９の上方で取付機構板４６に図中右端部を軸支されて、左端を水平方向に向けて中央下部に形成される球止舌部８４によって球流出路３９を後方から閉塞する球止位置γと、図中左端を上方寄りに向けて球止舌部８４を球流出路３９の上方に退避させる開放位置δとに変位可能となっている。図１６に示すように、可動球止部材４４の左側部にはコイルバネ８５が取り付けられており、可動球止部材４４は該コイルバネ８５によって球止位置γ側に付勢されている。可動球止部材４４の図中左端部には、球送装置１５の押圧保持部材６７と当接する受圧突部８６が図中左方に突成される。図１６（ａ）に示すように、前扉６の閉止状態では可動球止部材４４は受圧突部８６を押圧保持部材６７によって押し上げられることにより開放位置δに保持される。また、可動球止部材４４の左端下部には球抜作動片４３を規制するストッパ部８７が下方に突成される。可動球止部材４４は、図１６（ｂ）に示すように、球止位置γにおいて、定常位置εにある球抜作動片４３の摺動板部７７の右上角部の直右脇にストッパ部８７を位置させており、これによって球抜作動片４３と係合する。かかる状態では、球抜作動片４３の移動方向と、可動球止部材４４の移動方向が直交しているため、球抜作動片４３を作動位置ζ方向（図中右方）に移動させようとするとストッパ部８７に衝突し、可動球止部材４４が左右に突っ張るようにしてかかる移動を阻止することとなる。
【００４４】
次に、球送装置１５からの遊技球の排出態様について具体的に説明する。
前扉６の閉止状態では、図１７（ａ）に示すように、球抜作動片４３の押圧用凹部８３が開閉片７０の受圧用突部７４の右脇に位置している。上述のように、球抜操作部材４２の非操作時は球抜作動片４３が定常位置εに保持されており、図１１（ａ）に示すように、開閉片７０はコイルバネ６９によって閉鎖位置αに付勢保持される。このため、かかる状態で発射レバー２９が回動操作されると、球送装置１５の球送り機構によって遊技球が一個ずつ発射レール１８上に送出され、遊技領域１２へ発射される。
【００４５】
また、前扉６の閉止状態で球抜操作部材４２が押し下げ操作されると、図１１（ｂ），１７（ｂ）に示すように、球抜作動片４３が左方の作動位置ζへと変位し、開閉片７０が球抜位置βへと押圧されて球抜口６１が開放される。これにより、球送装置１５内の遊技球ｘは球抜口６１から球抜通路６２へ流出し、図１８に示すように、球放出口２４から余剰球貯留皿１１に排出されることとなる。また、かかる状態では球流出路３９が開放されているため、発射球貯留皿１０の遊技球ｘも球送装置１５に流入して余剰球貯留皿１１へ排出されることとなる。球抜操作部材４２の操作が停止すると連繋部材８０に結合したコイルバネ８２の付勢力によって球抜作動片４３が定常位置εに復帰するとともに、開閉片７０が閉鎖位置αに復帰して球抜口６１が閉塞状態となる。なお、本実施例の球送装置１５では、図１１（ａ）に示すように、遊技球ｘを阻止するテコ部材５８の上端部が平坦であるため、球抜口６１を開放してもテコ部材５８上の遊技球ｘは排出されずにテコ部材５８上に留まることとなるが、テコ部材５８の上端部を球抜口６１側に傾斜させれば球抜口６１の開放時にテコ部材５８上の遊技球ｘも排出できる。
【００４６】
また、閉止状態の前扉６を開放すると、図１７（ｃ）に示すように、球抜作動片４３が前方に回動して、押圧用凹部８３と受圧用突部７４が離間する。かかる状態では、開閉片７０は、受圧用突部７４を直接操作されない限り閉鎖位置αに付勢保持される。一方で、前扉６が開放すると、可動球止部材４４は、図１６に示すように、開放位置δに押し上げていた可動球止部材４４は、球送装置１５の押圧保持部材６７の離間に伴いコイルバネの付勢力によって球止位置γに傾動し、球流出路３９が閉塞される。これにより、前扉６の開放状態において発射球貯留皿１０からの遊技球の流出が阻止される。また、図１６（ｂ）に示すように、可動球止部材４４が球止位置γにある状態では、球抜作動片４３が可動球止部材４４によって作動位置ζへの変位を阻止される。このため、前扉６の開放状態では、球抜操作部材４２を押下げ操作しても球抜作動片４３は可動球止部材４４に衝突して、定常位置εに押し留められる。
【００４７】
開放状態の前扉６を閉止すると、図１７（ａ）に示すように、分離していた開閉片７０と球抜作動片４３とが接近して押圧用凹部８３によって受圧用突部７４を押圧可能となる。上述のように、前扉６の開放状態において球抜作動片４３は定常位置εに保持されるため、前扉６が閉止する際に受圧用突部７４と押圧用凹部８３が衝突することはない。また、球止位置γは、球送装置１５の押圧保持部材６７に押し上げられて球止位置γから開放位置δに復帰することとなり、これにより発射球貯留皿１０から球送装置１５に遊技球が流入可能となる。
【００４８】
以上のように、本実施例のパチンコ機では、前扉６を開放すると、可動球止部材４４が球止位置γに変位し、該球止位置γにおいて可動球止部材４４が球抜作動片４３の作動位置ζへの変位を阻止するようになっている。したがって、本実施例では、前扉６の開放状態では、球抜操作部材４２が操作されても球抜作動片４３は定常位置εに保持されることとなり、球抜作動片４３と開閉片７０を衝突させずに前扉６を確実に閉止することができる。したがって、本実施例のパチンコ機１は、球抜作動片４３や開閉片７０が破損し難く、また、作業者は、前扉６を閉止する際に球抜作動片４３と開閉片７０を衝突させないように気を配る必要がない。また、本実施例では、既存の可動球止部材４４によって球抜作動片４３を係止しているため、部品点数を増加させずに球抜作動片４３の位置変換を阻止できる。
【００４９】
次に、上記実施例から球抜作動片の構成を変更した変形例について説明する。
図１９は、変形例の球抜作動片４３ａの斜視図である。この球抜作動片４３ａを上記実施例の球抜作動片４３と比べると、上記実施例の球抜作動片４３は、図１３に示すように、押圧腕部７８の左端に中央の窪んだ押圧用凹部８３が設けられているのに対し、変形例の球抜作動片４３ａは、図１９に示すように、押圧腕部７８の左端に前後に貫通するＯ状の押圧用穴部９３が設けられており、前扉６の閉止状態では押圧用穴部９３が開閉片７０の受圧用突部７４に外嵌する。
【００５０】
かかる構成によれば、前扉６の閉止状態で開閉片７０と球抜作動片４３ａが左右に連動することとなる。このため、前扉６閉止状態で、開閉片７０が球抜位置βに引っ掛かると、球抜作動片４３が作動位置ζに係止され、球抜操作部材４２も押下げられた状態に留まることとなる。したがって、本変形例においては、遊技者が、開閉片７０が閉鎖位置αに正常に復帰したか否かを球抜操作部材４２が上方に復帰したか否かによって確認できるという利点がある。なお、図１９に示す押圧用穴部９３は前後に亘って同じ穴形状をしているが、押圧用穴部９３の後部にテーパーを形成し、受圧用突部７４と押圧用穴部９３が嵌合し易いようにするとよい。
【００５１】
次に、上記実施例をさらに変更した別の変形例について説明する。
本変形例は、上記実施例のパチンコ機１の構成に加えて、球止位置γの可動球止部材４４と定常位置εの球抜作動片４３の係合状態で球抜作動片４３が作動位置ζ方向へ移動して球抜作動片４３が可動球止部材４４を押圧した場合に、当該押圧を検出して球抜異常信号を出力する球抜操作検出手段と、球抜操作検出手段と接続されて、球抜異常信号を受信すると所定の報知手段を作動させる球抜異常報知制御手段とを備えるものである。
【００５２】
上記実施例の図１６を参照して本変形例を具体的に説明すると、本変形例の可動球止部材４４には、ストッパ部８７の、球抜作動片４３と当接する面に感圧センサが配設されており、図１６（ｂ）に示すように、可動球止部材４４が球止位置γにある状態で、球抜操作部材４２が操作され、球抜作動片４３が作動位置ζ方向に移動してストッパ部８７に衝突すると感圧センサがこれを検知して所定の球抜異常信号を出力する。感圧センサは主制御基板と接続されており、主制御基板は球抜異常信号を受信するとスピーカ（図示省略）を作動させて、所定態様の報知音を発生させる。
【００５３】
したがって、かかる変形例では、前扉６の開放状態において球抜操作部材４２を不適切に操作していることを遊技者に報知できる。
【００５４】
尚、本発明のパチンコ機は、上述した実施の形態に限定されるものではなく、本発明の要旨を逸脱しない範囲内において種々変更を加え得ることは勿論である。例えば、上記実施例では、球送装置は発射機構板に軸支されていたが、球送装置は内枠に直接固定してもよい。また、上記実施例では視認用開口部３４が前扉６に設けられているが、視認用開口部３４は発射球貯留皿１０とは別に枢支してもかまわない。
【図面の簡単な説明】
【００５５】
【図１】前扉６の閉止状態におけるパチンコ機１の斜視図である。
【図２】前扉６の開放状態におけるパチンコ機１の斜視図である。
【図３】パチンコ機１の正面図である。
【図４】前扉６の正面図である。
【図５】図４中のＡ−Ａ断面図である。
【図６】前扉６の下部の背面図である。
【図７】パチンコ機１の下部を縦断して内部構造を示す説明図である。
【図８】発射装置１４及び球送装置１５を分離して示す斜視図である。
【図９】発射装置１４及び球送装置１５の側面図である。
【図１０】球送装置１５及び球抜作動片４３の斜視図である。
【図１１】ケース体５１を縦断して球送装置１５の内部構造を示す正面図である。
【図１２】球送装置１５の作動を示す説明図である。
【図１３】球抜作動片４３及び開閉片７０の斜視図である。
【図１４】球抜作動片４３を背面側から見た斜視図である。
【図１５】球抜操作部材４２と球抜作動片４３の連繋態様を示す説明図である。
【図１６】可動球止部材４４の作動を示す説明図である。
【図１７】外枠２や前扉６等を透視して、球抜作動片４３と開閉片７０の配置関係を上方から示す説明図である。
【図１８】球送装置１５からの遊技球ｘの排出態様を示す説明図である。
【図１９】変形例に係る球抜作動片４３ａの拡大斜視図である。
【符号の説明】
【００５６】
１  パチンコ機
５  内枠
６  前扉
１０  発射球貯留皿
１４  発射装置
１５  球送装置
３６  球供給口
３７  貯留部
３８  整列部
３９  球流出路
４２  球抜操作部材
４３，４３ａ  球抜作動片
４４  可動球止部材
４５  排出球誘導路
４８  球保持部材
４９  軸受部材
６１  球抜口
６７  押圧保持部材
６９  コイルバネ(第一の付勢手段)
７０  開閉片
７４  受圧用突部
８０  連繋部材
８２  コイルバネ（第二の付勢手段）
８５  コイルバネ（第三の付勢手段）
９３  押圧用穴部
ｘ  遊技球
α  閉鎖位置
β  球抜位置
γ  球止位置
δ  開放位置
ε  定常位置
ζ  作動位置
【図１】
0004820673.tif 000002
【図２】
0004820673.tif 000003
【図３】
0004820673.tif 000004
【図４】
0004820673.tif 000005
【図５】
0004820673.tif 000006
【図６】
0004820673.tif 000007
【図７】
0004820673.tif 000008
【図８】
0004820673.tif 000009
【図９】
0004820673.tif 000010
【図１０】
0004820673.tif 000011
【図１１】
0004820673.tif 000012
【図１２】
0004820673.tif 000013
【図１３】
0004820673.tif 000014
【図１４】
0004820673.tif 000015
【図１５】
0004820673.tif 000016
【図１６】
0004820673.tif 000017
【図１７】
0004820673.tif 000018
【図１８】
0004820673.tif 000019
【図１９】
0004820673.tif 000020